(57)【要約】      （修正有）【課題】風呂の湯量を嵩増しすることにより加熱に要するガスや電気等のエネルギー源を大幅に節約すると共に、使用する水の量も節約する。加えて指や腕等の筋力の鍛錬を行うことができると共に遊戯具として用いることもできる風呂の湯量嵩増し具を提供する。【解決手段】耐熱性を有すると共に柔軟性を有する素材をもって、充填物の出し入れ口２を備えた中空で所定の形態をなし、充填物を充填して膨張したときの表面積が風呂の湯量を嵩増しするに適した表面積となる湯量嵩増し具本体３を形成すると共に、該湯量嵩増し具本体３の表面の適宜箇所に、疣状、棒状等の適宜の形態の柔軟性突起部４を多数形成し、前記湯量嵩増し具本体３内に水を充填する。【選択図】図３
0003167504.tif 000002
【実用新案登録請求の範囲】
【請求項１】
耐熱性を有すると共に柔軟性を有する素材をもって、充填物の出し入れ口を備えた中空で所定の形態をなし、充填物を充填して膨張したときの表面積が風呂の湯量を嵩増しするに適した表面積となる湯量嵩増し具本体を形成すると共に、該湯量嵩増し具本体の表面の適宜箇所に、疣状、棒状等の適宜の形態の柔軟性突起部を多数形成し、前記湯量嵩増し具本体内に砂又は水を充填してなる風呂の湯量嵩増し具。
【請求項２】
前記湯量嵩増し具本体の形態が、球状である請求項１記載の風呂の湯量嵩増し具。
【請求項３】
前記湯量嵩増し具本体の形態が、人又は動物の形状である請求項１記載の風呂の湯量嵩増し具。
【請求項４】
前記湯量嵩増し具本体の形態が、アニメーション等のキャラクターの形状である請求項１記載の風呂の湯量嵩増し具。
【考案の詳細な説明】
【技術分野】
【０００１】  本考案は風呂の湯量嵩増し具に関するものである。
【背景技術】
【０００２】  入浴は、人体の体表面の清浄化と共に、血流を高め、疲労回復や心身のリフレッシュにも役立つことはよく知られている通りである。【０００３】  また、身体における首から下の全体を湯に沈めるほうが全身の血行がよくなって身体全体が温まることから、湯の水面が肩より上の位置になるように湯量を調整することが一般的である。【０００４】  しかし、外気の温度が高い時期には水温も高く、その結果加熱するとすぐに入浴に適した温度まで上昇するが、外気の温度が低い時期になると水の温度も下がり、その結果加熱してもすぐには温度が上昇せず、入浴に適した温度まで上昇させるには相当な時間がかかる。【０００５】  そして、このように入浴に最適な温度までの上昇に相当な時間がかかることから、加熱に要するガスや電気等のエネルギー源の消費量は実に多大なものとなる。
【考案の概要】
【考案が解決しようとする課題】
【０００６】  本考案は上記の点に鑑みなされたものであって、風呂の湯量を嵩増しすることにより、加熱に要するガスや電気等のエネルギー源を大幅に節約することができると共に使用する水の量も大幅に節約することができ、加えて入浴する者の指や腕等の筋力の鍛錬に役立つと共に遊戯用の道具としても用いることができるようになした風呂の湯量嵩増し具を提供しようとするものである。
【課題を解決するための手段】
【０００７】  而して、本考案の要旨とするところは、耐熱性を有すると共に柔軟性を有する素材をもって、充填物の出し入れ口を備えた中空で所定の形態をなし、充填物を充填して膨張したときの表面積が風呂の湯量を嵩増しするに適した表面積となる湯量嵩増し具本体を形成すると共に、該湯量嵩増し具本体の表面の適宜箇所に、疣状、棒状等の適宜の形態の柔軟性突起部を多数形成し、前記湯量嵩増し具本体内に砂又は水を充填してなる風呂の湯量嵩増し具にある。【０００８】  また、上記構成における湯量嵩増し具本体の形態としては、球状や人又は動物の形状、或いはアニメーション等のキャラクターの形状等を好適な例として挙げることができるが、勿論これ以外の形態としてもよい。
【考案の効果】
【０００９】  本考案は上記の如き構成であるから、これを風呂の浴槽に投げ込んで沈めておくだけで浴槽内の湯量を適量まで嵩増しすることができるものである。したがって、嵩増しした分の水の加熱に要するガスや電気等のエネルギー源の消費を節約することができると共に、嵩増しした分の水の使用量を節約することができ、従来に比して大幅なコスト減となるものである。また、これによりエコにも資することになるものである。【００１０】  また、入浴する者は、湯量嵩増し具本体の表面に形成した疣状、棒状等の形態の柔軟性突起部を握ったり、つまんだり、押したりすることにより指や腕等の筋力を鍛錬することができ、またこれらを使ってマッサージすることもできる。そして、これらにより特に高年齢の者にとっては認知症の予防にも役立てることができるものである。【００１１】  また、湯量嵩増し具本体の形態や柔軟性突起部の形態を様々に工夫することにより遊戯用の道具として用いることもできるものである。したがって、小さな子供は風呂に入る楽しみができ、また風呂嫌いの子供を風呂好きにすることができるものである。【００１２】  また、使用しないときには、湯量嵩増し具本体内からこれに充填した水や砂を抜いて折り畳んで仕舞っておくことができる。また、湯量嵩増し具本体内に水を充填した場合には、該水は非常用の飲料水や消火用の水として用いることもできるものである。また、浴槽内において移動させることも自由に行うことができるものである。
【図面の簡単な説明】
【００１３】
【図１】本考案の第１実施形態に係る風呂の湯量嵩増し具の中央縦断正面図である。
【図２】本考案の第２実施形態に係る風呂の湯量嵩増し具の斜視図である。
【図３】使用状態における本考案の第３実施形態に係る風呂の湯量嵩増し具の斜視図である。
【考案を実施するための形態】
【００１４】    以下、本考案を実施するための形態について、図面を参照して説明する。
【００１５】  先ず、図１に示した本考案の第１実施形態について説明する。
図中、１は風呂の湯量嵩増し具である。また、該風呂の湯量嵩増し具１は、耐熱性を有すると共に柔軟性を有する素材をもって、充填物の出し入れ口２を備えた中空で所定の形態をなし、充填物を充填して膨張したときの表面積が風呂の湯量を嵩増しするに適した表面積となる湯量嵩増し具本体３を形成すると共に、該湯量嵩増し具本体３の表面の適宜箇所に、疣状、棒状等の適宜の形態の柔軟性突起部４を多数形成し、前記湯量嵩増し具本体３内に水５を充填してなるものである。
【００１６】  また、前記耐熱性を有すると共に柔軟性を有する素材としては、耐熱性の軟らかいゴムやビニールを用いることが好ましい。また、前記湯量嵩増し具本体３の形態は、本実施形態では球状としている。また、柔軟性突起部４の形態は、本実施形態では疣状と棒状のものとし、これらを適宜な間隔で多数形成している。また、該柔軟性突起部４は、本実施形態では中空としているが、中空でなくでもよい。また、前記湯量嵩増し具本体３内に充填するものとしては、本実施形態では水を用いているが、砂を用いるようにしてもよい。
【００１７】  次に、図２に示した本考案の第２実施形態について説明する。
本実施形態と前記第１実施形態とは、湯量嵩増し具本体３の形態において相違するものである。即ち、前記第１実施形態においては湯量嵩増し具本体３の形態を球状としているのに対して、本実施形態においては動物の形状としている点である。また、本実施形態では動物の手足や尾、嘴等も柔軟性突起部４と同様の働きをするものである。尚、その他の構成並びに作用は前記第１実施形態と同様であるから、同一の部材には同一の符号を付して詳細な説明は省略する。
【００１８】  次に、図３に示した本考案の第３実施形態について説明する。
本実施形態と前記第１実施形態とは、湯量嵩増し具本体３の形態において相違するものである。即ち、前記第１実施形態においては湯量嵩増し具本体３の形態を球状としているのに対して、本実施形態においてはアニメーション等のキャラクターの形状としている点である。また、この場合にも前記第２実施形態と同様に手足や尾、嘴等も柔軟性突起部４と同様の働きをするものである。尚、その他の構成並びに作用は前記第１実施形態と同様であるから、同一の部材には同一の符号を付して詳細な説明は省略する。
【００１９】  次に、本考案の作用について説明する。
本考案に係る風呂の湯量嵩増し具１は、図３に示す如く、これを風呂の浴槽６内に投げ込んで沈めて使用するものである。これにより該風呂の湯量嵩増し具１の体積に相当する分の湯量が嵩増しされ、従来よりも少ない量でありながら、入浴する者の肩がつかるまでの高さまで水嵩を上げることができるものである。尚、図において斜線で示した部分Ｓが嵩増しした部分である。またＭは入浴する子供を示している。したがって、嵩増しした分の水の加熱に要するガスや電気等のエネルギー源の消費を節約することができると共に、嵩増しした分の水の使用量を節約することができ、従来に比して大幅なコスト減となるものである。また、これによりエコにも資することになるものである。
【００２０】  また、入浴する者は、湯量嵩増し具本体３の表面に形成した疣状、棒状等の形態の柔軟性突起部４を握ったり、つまんだり、押したりすることにより指や腕等の筋力を鍛錬することができ、またこれらを使ってマッサージすることもできる。そして、これらにより特に高年齢の者にとっては認知症の予防にも役立てることができるものである。
【００２１】  また、湯量嵩増し具本体３の形態や柔軟性突起部４の形態を様々に工夫することにより遊戯用の道具として用いることもできるものである。したがって、小さな子供は風呂に入る楽しみができ、また風呂嫌いの子供を風呂好きにすることができるものである。
【００２２】    また、使用しないときには、湯量嵩増し具本体３内からこれに充填した水５や砂（図示せず。）を抜いて折り畳んで仕舞っておくことができる。また、湯量嵩増し具本体３内に水４を充填した場合には、該水４は非常用の飲料水や消火用の水として用いることもできるものである。また、浴槽６内において移動させることも自由に行うことができるものである。
【符号の説明】
【００２３】１  風呂の湯量嵩増し具
２  充填物の出し入れ口
３  湯量嵩増し具本体
４  柔軟性突起部
５  水
【図１】
0003167504.tif 000003
【図２】
0003167504.tif 000004
【図３】
0003167504.tif 000005